【手続補正書】
【提出日】平成16年10月19日(2004.10.19)
【手続補正１】
【補正対象書類名】明細書
【補正対象項目名】特許請求の範囲
【補正方法】変更
【補正の内容】
【特許請求の範囲】
【請求項１】
第１の情報処理装置と第２の情報処理装置とがネットワークを介して通信可能な情報処理システムであって、
前記第１の情報処理装置が、
前記第２の情報処理装置のブラウザに表示される画面のデザインの記述が可能な言語で記述された型紙情報を記憶する第１の記憶手段と、
前記第２の情報処理装置からの要求に応じて、前記第１の記憶手段に記憶された前記型紙情報を送信する送信手段とを備え、
前記第２の情報処理装置が、
前記型紙情報を受信する受信手段と、
機能拡張プログラムを記憶する第２の記憶手段とを備え、
該機能拡張プログラムは、前記第２の情報処理装置を、条件情報を取得する取得手段、該取得手段で取得された前記条件情報と前記受信手段で受信された前記型紙情報とを合成する合成手段、及び該合成手段で合成された前記型紙情報を所定の画面として前記ブラウザに表示させる表示手段として機能させる
ことを特徴とする情報処理システム。
【請求項２】
クライアント装置のブラウザに表示される画面のデザインの記述が可能な言語で記述され、前記ブラウザの機能拡張プログラムで取得された条件情報と合成されることによって前記ブラウザに所定の画面として表示される型紙情報を記憶する記憶手段と、
前記クライアント装置からの要求に応じて、前記記憶手段に記憶された前記型紙情報をネットワークを介して送信する送信手段と
を備えることを特徴とする情報処理装置。
【請求項３】
画像データを記憶する第２の記憶手段をさらに備え、
前記第２の記憶手段に記憶された前記画像データのサムネイル画像を前記ブラウザに表示させるように記述した型紙情報を、前記記憶手段に記憶させる
ことを特徴とする請求項２記載の情報処理装置。
【請求項４】
画像データを記憶する第２の記憶手段と、
前記ブラウザに表示される前記所定の画面を用いて前記クライアント装置で入力された入力情報を受信する受信手段と、
前記受信手段で受信された前記入力情報に基づいて、前記第２の記憶手段に記憶された前記画像データをネットワークを介して前記クライアント装置に送信する第２の送信手段と
をさらに備えることを特徴とする請求項２記載の情報処理装置。
【請求項５】
ブラウザに表示される画面のデザインの記述が可能な言語で記述された型紙情報をネットワークを介してサーバ装置から受信する受信手段と、
機能拡張プログラムを記憶する記憶手段とを備える情報処理装置であって、
該機能拡張プログラムは、該情報処理装置を、所定の条件情報を取得する取得手段、該取得手段で取得された前記条件情報と前記受信手段で受信された前記型紙情報とを合成する合成手段及び該合成手段で合成された前記型紙情報を所定の画面として前記ブラウザに表示させる表示手段として機能させる
ことを特徴とする情報処理装置。
【請求項６】
少なくとも一つ以上の印刷装置に接続可能な情報処理装置であって、
前記機能拡張プログラムが具備する前記取得手段が、前記印刷装置に関する情報又は該印刷装置の制御用ソフトウェアから取得される前記印刷装置の属性情報の少なくともいずれか一方を前記条件情報として取得し、
前記所定の画面が、前記印刷装置で実行される印刷処理の各種条件の入力画面であり、前記機能拡張プログラムが、前記情報処理装置を、該所定の画面を用いて入力された各種条件を取得する条件取得手段としてさらに機能させる
ことを特徴とする請求項５記載の情報処理装置。
【請求項７】
前記受信手段が、通信可能な他の情報処理装置からネットワークを介して画像データを受信し、
前記機能拡張プログラムが、前記情報処理装置を、前記条件取得手段で取得された前記各種条件に基づいて、前記受信手段で受信された前記画像データから前記印刷装置で印刷させる印刷データを作成する作成手段としてさらに機能させる
ことを特徴とする請求項６記載の情報処理装置。
【請求項８】
前記条件取得手段で取得された前記各種条件を保存する保存手段をさらに備え、
前記機能拡張プログラムが機能させる合成手段が、前記保存手段に保存された前記各種条件に基づいて、前記取得手段で取得された前記条件情報と前記受信手段で受信された前記型紙情報とを合成する
ことを特徴とする請求項７記載の情報処理装置。
【請求項９】
ブラウザの機能拡張プログラムを記憶する少なくとも一つ以上の他の情報処理装置とネットワークを介して接続可能であって、
前記記憶手段に前記ブラウザの前記機能拡張プログラムが記憶されていない場合、前記他の情報処理装置から前記ブラウザの前記機能拡張プログラムを取得するファイル取得手段をさらに備えることを特徴とする請求項５記載の情報処理装置。
【請求項１０】
前記型紙情報が、Hyper Text Markup Languageで記述されていることを特徴とする請求項２から９までのいずれか１項に記載の情報処理装置。
【請求項１１】
前記ネットワークが、インターネット又はローカルエリアネットワークであることを特徴とする請求項２から１０までのいずれか１項に記載の情報処理装置。
【請求項１２】
クライアント装置のブラウザに表示される画面のデザインの記述が可能な言語で記述され、前記ブラウザの機能拡張プログラムで取得された条件情報と合成されることによって前記ブラウザに所定の画面として表示される型紙情報を記憶する情報処理装置における情報処理方法であって、
前記クライアント装置からの要求を受け付ける受付工程と、
前記要求に応じて前記型紙情報をネットワークを介して送信する送信工程と
を有することを特徴とする情報処理方法。
【請求項１３】
ブラウザに表示される画面のデザインの記述が可能な言語で記述された型紙情報をネットワークを介して受信する受信工程と、
条件情報を取得する条件取得工程と、
取得された前記条件情報と受信された前記型紙情報とを合成する合成工程と、
合成された前記型紙情報を前記ブラウザに所定の画面として表示させる表示工程と
を有することを特徴とする情報処理方法。
【請求項１４】
請求項１２又は１３に記載の情報処理方法をコンピュータに実行させるためのプログラム。
【請求項１５】
請求項１４に記載のプログラムを格納したことを特徴とするコンピュータ読み取り可能な記録媒体。
【請求項１６】
ネットワークを介してサーバ装置から送信された、ブラウザに表示される画面のデザインの記述が可能な言語で記述された型紙情報を取得する手順と、
所定の条件情報を取得する手順と、
前記取得された型紙情報を前記所定の条件情報と合成する手順と、
前記合成された前記型紙情報に基づき所定の画面として前記ブラウザに表示させるよう前記ブラウザを制御する手順と
をコンピュータに実行させるための機能拡張プログラム。
【手続補正２】
【補正対象書類名】明細書
【補正対象項目名】０００９
【補正方法】変更
【補正の内容】
【０００９】
【課題を解決するための手段】
上記課題を解決するために、本発明は、第１の情報処理装置と第２の情報処理装置とがネットワークを介して通信可能な情報処理システムであって、前記第１の情報処理装置が、前記第２の情報処理装置のブラウザに表示される画面のデザインの記述が可能な言語で記述された型紙情報を記憶する第１の記憶手段と、前記第２の情報処理装置からの要求に応じて、前記第１の記憶手段に記憶された前記型紙情報を送信する送信手段とを備え、前記第２の情報処理装置が、前記型紙情報を受信する受信手段と、機能拡張プログラムを記憶する第２の記憶手段とを備え、該機能拡張プログラムは、前記第２の情報処理装置を、条件情報を取得する取得手段、該取得手段で取得された前記条件情報と前記受信手段で受信された前記型紙情報とを合成する合成手段、及び該合成手段で合成された前記型紙情報を所定の画面として前記ブラウザに表示させる表示手段として機能させることを特徴とする。
また、本発明に係る情報処理装置は、クライアント装置のブラウザに表示される画面のデザインの記述が可能な言語で記述され、前記ブラウザの機能拡張プログラムで取得された条件情報と合成されることによって前記ブラウザに所定の画面として表示される型紙情報を記憶する記憶手段と、前記クライアント装置からの要求に応じて、前記記憶手段に記憶された前記型紙情報をネットワークを介して送信する送信手段とを備えることを特徴とする。
【手続補正３】
【補正対象書類名】明細書
【補正対象項目名】００１０
【補正方法】変更
【補正の内容】
【００１０】
また、本発明に係る情報処理装置は、画像データを記憶する第２の記憶手段をさらに備え、前記第２の記憶手段に記憶された前記画像データのサムネイル画像を前記ブラウザに表示させるように記述した型紙情報を、前記記憶手段に記憶させることを特徴とする。
【手続補正４】
【補正対象書類名】明細書
【補正対象項目名】００１２
【補正方法】変更
【補正の内容】
【００１２】
さらにまた、本発明に係る情報処理装置は、ブラウザに表示される画面のデザインの記述が可能な言語で記述された型紙情報をネットワークを介してサーバ装置から受信する受信手段と、機能拡張プログラムを記憶する記憶手段とを備える情報処理装置であって、該機能拡張プログラムは、該情報処理装置を、所定の条件情報を取得する取得手段、該取得手段で取得された前記条件情報と前記受信手段で受信された前記型紙情報とを合成する合成手段及び該合成手段で合成された前記型紙情報を所定の画面として前記ブラウザに表示させる表示手段として機能させることを特徴とする。
【手続補正５】
【補正対象書類名】明細書
【補正対象項目名】００１３
【補正方法】変更
【補正の内容】
【００１３】
さらにまた、本発明に係る情報処理装置は、少なくとも一つ以上の印刷装置に接続可能な情報処理装置であって、前記機能拡張プログラムが具備する前記取得手段が、前記印刷装置に関する情報又は該印刷装置の制御用ソフトウェアから取得される前記印刷装置の属性情報の少なくともいずれか一方を前記条件情報として取得し、前記所定の画面が、前記印刷装置で実行される印刷処理の各種条件の入力画面であり、前記機能拡張プログラムが、前記情報処理装置を、該所定の画面を用いて入力された各種条件を取得する条件取得手段としてさらに機能させることを特徴とする。
【手続補正６】
【補正対象書類名】明細書
【補正対象項目名】００１４
【補正方法】変更
【補正の内容】
【００１４】
さらにまた、本発明に係る情報処理装置は、前記受信手段が、通信可能な他の情報処理装置からネットワークを介して画像データを受信し、前記機能拡張プログラムが、前記情報処理装置を、前記条件取得手段で取得された前記各種条件に基づいて、前記受信手段で受信された前記画像データから前記印刷装置で印刷させる印刷データを作成する作成手段としてさらに機能させることを特徴とする。
【手続補正７】
【補正対象書類名】明細書
【補正対象項目名】００１５
【補正方法】変更
【補正の内容】
【００１５】
さらにまた、本発明に係る情報処理装置は、前記条件取得手段で取得された前記各種条件を保存する保存手段をさらに備え、前記機能拡張プログラムが機能させる合成手段が、前記保存手段に保存された前記各種条件に基づいて、前記取得手段で取得された前記条件情報と前記受信手段で受信された前記型紙情報とを合成することを特徴とする。
【手続補正８】
【補正対象書類名】明細書
【補正対象項目名】００１９
【補正方法】削除
【補正の内容】